(57)【特許請求の範囲】
【請求項１】
幅方向における一端部の近傍から他端部にかけて上部と下部を隔離可能にした非接合帯域を有し、前記一端部に上部と下部との接合帯域を有する内側ゴム層帯状体と、前記内側ゴム層帯状体を取り囲むゴム引布積層帯状体と、前記ゴム引布積層帯状体を取り囲み、幅方向における一端部にデフレクターを有する外側ゴム層帯状体とが、加硫により一体接合されてなり、前記内側ゴム層帯状体と前記ゴム引布積層帯状体と前記外側ゴム層帯状体の幅方向における他端部を固定した状態で、前記内側ゴム層帯状体の前記非接合帯域の上部と下部を隔離させることによって前記内側ゴム層帯状体の内部に空気等の流体を充填させる空間を形成するゴム引布製起伏堰本体であって、
前記内側ゴム層帯状体が、前記非接合帯域を有する第１のゴム層帯状体と、前記第１のゴム層帯状体の幅方向における一端部側の所定範囲を取り囲むシリコンゴム層帯状体と、前記シリコンゴム層帯状体を取り囲み、前記第１のゴム層帯状体と相俟って前記シリコンゴム層帯状体の全範囲を挟む第２のゴム層帯状体と、を有し、
前記内側ゴム層帯状体の内部に空気等の流体を充填させる空間を形成したときに、前記内側ゴム層帯状体の幅方向における一端部側において、前記第１のゴム層帯状体と前記第２のゴム層帯状体とが前記シリコンゴム層帯状体から離間して、前記第１のゴム層帯状体と前記第２のゴム層帯状体との間に前記シリコンゴム層帯状体を挟んだ状態の第１の空隙部が形成されるようにしたことを特徴とするゴム引布製起伏堰本体。
【請求項２】
前記外側ゴム層帯状体は、前記外側ゴム層帯状体の幅方向における一端部側で、前記ゴム引布積層帯状体の近傍に第２の空隙部を有していることを特徴とする請求項１に記載のゴム引布製起伏堰本体。
【発明の詳細な説明】
【技術分野】
【０００１】
本発明は、デフレクターを有するゴム引布製起伏堰本体に関する。
【背景技術】
【０００２】
従来、中小河川の止水や農業用／工業用の水路の水位確保などを目的として、河川や水路をせき止めるために、ゴム引布製起伏堰が用いられ、特に、デフレクターを有するゴム引布製起伏堰は、起立時におけるゴム引布製起伏堰本体の振動低減や倒伏時におけるゴム引布製起伏堰本体の損傷防止に効果があり、多くの現場で採用されている。
【０００３】
ところで、使用後長期間が経過した、デフレクターを有するゴム引布製起伏堰では、デフレクターを有する部位近傍で膨れ等が発生するという問題があることが判明してきた。
【０００４】
この膨れの問題に関連する従来の技術としては、次の特許文献１に、帯状体の非接合帯域の幅方向端部の近傍における応力集中を防止し、亀裂の発生を阻止して、流路から流体の漏洩を防止し、耐久性を向上させることを目的として、幅方向中央部に上部と下部を隔離可能にした非接合帯域を有する帯状体と、帯状体の周囲を取り囲む補強層と、を備え、帯状体の非接合帯域の上部と下部を隔離させて帯状体の内部に流路を形成する帯状袋体において、補強層の内側でかつ帯状体の非接合帯域の幅方向両端部の近傍に、それぞれ幅方向の外方に凸状の円弧部を有する切欠きまたは空間を設けた構成が開示されている。
【先行技術文献】
【特許文献】
【０００５】
【特許文献１】特許第３０５７６４２号公報
【発明の概要】
【発明が解決しようとする課題】
【０００６】
しかるに、本発明者らが、デフレクターを有する部位近傍で膨れ等のメカニズムを考察するとともに、その対策について、特許文献１に記載の技術を参照し、考察・検討を重ねたところ、特許文献１に記載の技術に比べて、デフレクターを有する部位近傍への応力集中の防止度合いをより一層高めるための改善余地があることが判明した。
また、本発明者らがさらに考察・検討を重ねたところ、デフレクターを有するゴム引布製起伏堰においては、設置環境によっては、デフレクター部の根元に応力が集中することによって、デフレクター部の根元に割れを生ずる虞があることも判明した。
特許文献１には、帯状体の非接合帯域の端部の近傍における応力集中を防止し、亀裂の発生を阻止することについての言及はあるが、デフレクター部の根元の割れの問題についての着目がない。
【０００７】
本発明は、上記問題を鑑みてなされたものであり、従来の技術に比べてデフレクター部近傍の膨れを防止する効果を高め、かつ、デフレクター部の根元の割れを防止可能なゴム引布製起伏堰本体を提供することを目的としている。
【課題を解決するための手段】
【０００８】
上記目的を達成するため、本発明によるゴム引布製起伏堰本体は、幅方向における一端部の近傍から他端部にかけて上部と下部を隔離可能にした非接合帯域を有し、前記一端部に上部と下部との接合帯域を有する内側ゴム層帯状体と、前記内側ゴム層帯状体を取り囲むゴム引布積層帯状体と、前記ゴム引布積層帯状体を取り囲み、幅方向における一端部にデフレクターを有する外側ゴム層帯状体とが、加硫により一体接合されてなり、前記内側ゴム層帯状体と前記ゴム引布積層帯状体と前記外側ゴム層帯状体の幅方向における他端部を固定した状態で、前記内側ゴム層帯状体の前記非接合帯域の上部と下部を隔離させることによって前記内側ゴム層帯状体の内部に空気等の流体を充填させる空間を形成するゴム引布製起伏堰本体であって、前記内側ゴム層帯状体が、前記非接合帯域を有する第１のゴム層帯状体と、前記第１のゴム層帯状体の幅方向における一端部側の所定範囲を取り囲むシリコンゴム層帯状体と、前記シリコンゴム層帯状体を取り囲み、前記第１のゴム層帯状体と相俟って前記シリコンゴム層帯状体の全範囲を挟む第２のゴム層帯状体と、を有し、前記内側ゴム層帯状体の内部に空気等の流体を充填させる空間を形成したときに、前記内側ゴム層帯状体の幅方向における一端部側において、前記第１のゴム層帯状体と前記第２のゴム層帯状体とが前記シリコン層帯状体から離間して、前記第１のゴム層帯状体と前記第２のゴム層帯状体との間に前記シリコンゴム層帯状体を挟んだ状態の第１の空隙部が形成されるようにしたことを特徴とする。
また、本発明のゴム引布製起伏堰本体においては、前記外側ゴム層帯状体は、前記外側ゴム層帯状体の幅方向における一端部側で、前記ゴム引布積層帯状体の近傍に第２の空隙部を有しているのが好ましい。
【発明の効果】
【０００９】
本発明によれば、従来の技術に比べてデフレクター部近傍の膨れを防止する効果を高め、かつ、デフレクター部の根元の割れを防止可能なゴム引布製起伏堰本体が得られる。
【図面の簡単な説明】
【００１０】
【図１】本発明の第１実施形態に係るゴム引布製起伏堰本体の要部の構成を示す説明図で、(a)はゴム引布製起伏堰本体が倒伏した状態での要部の幅方向断面図、(b)は(a)における内側ゴム堰層帯状体の部分拡大図である。
【図２】図１(a)の第１実施形態に係るゴム引布製起伏堰本体が起立した状態での要部の幅方向断面図、(b)は(a)における内側ゴム堰層帯状体の部分拡大図である。
【図３】ゴム引布製起伏堰本体の基本形態の一例を概略的に示す説明図で、(a)はゴム引布製起伏堰本体が起立した状態を示す斜視図、(b)は(a)に示すゴム引布製起伏堰本体が倒伏した状態を示す側面図である。
【図４】図３のゴム引布製起伏堰本体の基本構成を倒伏した状態で概略的に示す幅方向断面図である。
【図５】ゴム引布製起伏堰本体に生じるデフレクター部の膨れの発生メカニズムを示す要部の説明図で、(a)は第１の段階での要部の状態を示す幅方向断面図、(b)は第２の段階での要部の状態を示す幅方向断面図、(c)は第３の段階での要部の状態を示す幅方向断面図である。
【図６】特許文献１に記載の技術を示す説明図で、(a)は特許文献１の発明に係る帯状袋体を示す幅方向断面図、(b)は(a)の帯状袋体の内部に流路を形成した状態を示す幅方向断面図である。
【図７】特許文献１に記載の技術を示す説明図で、(a)は図６に記載の発明を導出する前の従来の帯状袋体を示す幅方向断面図、(b)は(a)の帯状袋体の内部に流路を形成した状態を示す幅方向断面図である。
【図８】ゴム引布製起伏堰本体におけるデフレクター部の膨れの問題に対して、本発明者らが当初考察・検討した対応策の要部構成を示す説明図で、(a)は要部構成をゴム引布製起伏堰本体が倒伏した状態で示す幅方向断面図、(b)は(a)の要部構成をゴム引布製起伏堰本体が起立した状態で示す幅方向断面図である。
【図９】ゴム引布製起伏堰本体に生じるデフレクター部の根元の割れの発生メカニズムを示す要部の説明図で、(a)は第１段階における起立状態のデフレクター部を示す幅方向断面図、(b)は第１段階における倒伏状態のデフレクター部を示す幅方向断面図、(c)は第２の段階におけるデフレクター部を示す幅方向断面図である。
【発明を実施するための形態】
【００１１】
実施形態の説明に先立ち、本発明を導出するに至った経緯及び本発明の作用効果について説明する。
【００１２】
（１）ゴム引布製起伏堰本体の基本形態
ゴム引布製起伏堰本体は、例えば、図３(a)に示すように、折り返し部先端にデフレクターｆが設けられている。そして、倒伏時には図３(b)に示すように扁平な形状に倒伏する。
より詳しくは、ゴム引布製起伏堰本体１’は、図４に示すように、内側ゴム層帯状体１１’と、ゴム引布積層帯状体１２と、外側ゴム層帯状体１３’と、を有する。なお、図４中、１４は補強用のゴム引布層である。内側ゴム層帯状体１１’と、ゴム引布積層帯状体１２と、外側ゴム層帯状体１３’（、さらには補強用のゴム引布層１４）は、加硫により一体接合されている。
内側ゴム層帯状体１１’は、上部のゴム層１１’ａと下部のゴム層１１’ｂを隔離可能にした非接合帯域Ｃを有し、幅方向における一端部Ａ側に上部（のゴム層１１’ａ）と下部（のゴム層１１’ｂ）とが接合する接合帯域Ｄを有する。
ゴム引布積層帯状体１２は、複数のゴム引布からなり、内側ゴム層帯状体１１’の幅方向における一端部Ａ側の面を取り囲むように配置されている。
外側ゴム層帯状体１３’は、ゴム引布積層帯状体１２の幅方向における一端部Ａ側の面を取り囲み、一端部Ａにデフレクターｆを有する。
そして、ゴム引布製起伏堰本体１’は、内側ゴム層帯状体１１’とゴム引布積層帯状体１２と外側ゴム層帯状体１３’の幅方向における他端部Ｂを固定した状態で、内側ゴム層帯状体１１’の非接合帯域Ｃの上部（のゴム層１１’ａ）と下部（のゴム層１１’ｂ）を隔離させて内側ゴム層帯状体１１’の内部に空気等の流体を充填させる空間を形成するようになっている。
【００１３】
（２）ゴム引布製起伏堰本体の問題点１（デフレクター部の膨れ）
上述のように、使用後長期間が経過した、デフレクターを有するゴム引布製起伏堰では、デフレクターを有する部位近傍で膨れ等が発生するという問題があることが判明してきた。
【００１４】
(2-1)デフレクター部の膨れのメカニズムの考察
しかるに、本発明者らは、デフレクター部の膨れのメカニズムを次のように考察した。
デフレクター部の膨れは、水分の浸透による接着力の低下、引張疲労、さらには法皺や倒伏途中／水位制御時に発生する皺による曲げ、によりゴム引布積層帯状体を構成するゴム引布層の間が剥離し（図５(a)参照）、剥離部が成長することによって生じるものと考えられる。
しかし、上記よりも大きな要因は、内側ゴム層の割れによるゴム引布層の露出にあると考えられる。内側ゴム層の割れにより、ゴム引布製起伏堰本体の内部空間に充填されている空気等の流体が、ゴム割れにより露出したゴム引布層を通して外側ゴム層にまで伝わり（図５(b)参照）、長期間使用されて水分の浸透により接着力が低下した外側のゴム引布層と外側ゴム層とを剥離させて行く（図５(c)参照）と考えられる。
また、内側ゴム層の割れの要因は、内側ゴム層帯状体の非接合帯域の幅方向端部の近傍における応力集中にあると考えられる。
【００１５】
(2-2)デフレクター部の膨れの問題に関連する従来の技術
この膨れの問題に関連する従来の技術としては、特許文献１に、帯状体の非接合帯域の幅方向端部の近傍における応力集中を防止し、亀裂の発生を阻止して、流路から流体の漏洩を防止し、耐久性を向上させることを目的とした帯状袋体が開示されている。
【００１６】
特許文献１に記載の帯状袋体は、例えば、図６(a)、図６(b)に示すように、幅方向中央部に上部シート部５２ａと下部シート部５２ｂとを隔離可能にした非接合帯域５３を有する帯状体（帯状ゴムシート）５２と、帯状体５２の周囲を取り囲む補強層（層状の気室補強帆布）５５と、を備え、帯状体５２の非接合帯域５３の上部と下部を隔離させて帯状体５２の内部に流路５８を形成する帯状袋体５１において、補強層５５の内側でかつ帯状体５２の非接合帯域５３の幅方向両端部５３ａの近傍（端部５３ａと補強層５５の湾曲部５５ｂとの間）に、それぞれ幅方向の外方に凸状の円弧部５９ａを有する切欠き５９を設けた構成となっている。なお、図６中、５５ａは気室補強帆布５５の平坦部、５６は気室補強帆布５５の外側において気室補強帆布５５を覆う外被、５７は外被５６の上部および下部に平行に配置されて気室補強帆布５５を補強する外被補強帆布である。
そして、特許文献１には、図６のように、補強層５５の内側でかつ帯状体５２の非接合帯域５３の幅方向両端部の近傍に、それぞれ幅方向の外方に凸状の円弧部を有する切欠き５９を設けることで、図７(a)、図７(b)に示す帯状袋体６１のような、帯状体５２の非接合帯域５３の幅方向端部５３ａが鋭角な状態で上下に引っ張られることがなく、切欠き５９と補強層５５の間の応力集中が大幅に抑制され、亀裂６０の発生が阻止される旨が記載されている。
【００１７】
(2-3)デフレクター部の膨れの問題に対して、本発明者らが当初検討した対応策
そこで、本発明者らは、デフレクター部の膨れの問題に対する対応策として、特許文献１に記載の技術を参照し、ゴム引布製起伏堰本体に二重気室構造を設ける構成について、考察・検討を行った。
【００１８】
(2-3-1)デフレクター部の膨れを解消する手段
ゴム引布製起伏堰本体に二重気室構造を設ける構成は、図８(a)に示すように、ゴム引布製起伏堰本体１’’の内側ゴム層帯状体１１’’における非接合帯域Ｃの一端部Ａ側の端部とゴム引布積層帯状体１２との間に凸状の円弧部を有する切欠きＥを設けている。そして、内側ゴム層帯状体１１’’の非接合帯域Ｃの上部（のゴム層１１’’ａ）と下部（のゴム層１１’’ｂ）を隔離させて内側ゴム層帯状体１１’’の内部に空気等の流体を充填させる空間を形成したときに、図８(b)に示すように、切欠きＥの部分に気室が形成されることで、空気等の流体を充填させる空間と切欠きＥの部分の気室とで、二重気室構造が形成される構成となっている。
図８の構成のように、二重気室構造にすれば、切欠きＥの部分の気室が形成されることにより内側ゴム層Ｄが丸みを帯びた形状となり、応力が低減される。これにより、内側ゴム層の割れを防止し、ゴム引布層の露出を起こし難くすることができ、外側ゴム層を押し上げようとする力が働くことを抑えることができる。
しかし、空気等の流体を充填させる空間と切欠きＥの部分の気室との境界を形成する内側ゴム層が経年劣化により割れた場合、応力が、切欠きＥにより薄肉化した、ゴム引布層側に位置する内側ゴム層に集中することになる。
この点に関し、本発明者が更に検討を重ねたところ、図８の構成には、ゴム引布層側に位置する内側ゴム層にかかる応力を低減させて一層割れ難くするための改善の余地があることが判明した。
【００１９】
（３）ゴム引布製起伏堰本体の問題点２（デフレクター部の根元の割れ）
また、上述のように、本発明者らがさらに考察・検討を重ねたところ、デフレクターを有するゴム引布製起伏堰においては、設置環境によっては、デフレクター部の根元に応力が集中することによって、デフレクター部の根元に割れを生ずる虞があることも判明した。
【００２０】
(3-1)デフレクター部の根元の割れのメカニズムの考察
本発明者らは、デフレクター部の根元の割れのメカニズムを次のように考察した。
寒冷地や転石対策に用いるゴム引布製起伏堰本体は、外側ゴムの肉厚が厚くなっている。しかし、外側ゴムの肉厚を厚くすると曲げに対する剛性が高くなることからデフレクター部の根元に集中する応力が大きくなり易い（図９(a)参照）。
また、堰本体の起立期間が長くなると、デフレクター部の根元には塑性流動が生じ、ゴムが倒伏することでデフレクター部の根元には引張り力が生じて不可逆となったゴムが残され、デフレクター部の根元における外側部分やデフレクターを形成する外側ゴムとゴム引布層との間にクラックが発生する（図９(b)参照）。
さらに、寒冷地では、ゴムの硬度が高くなってゴムが劣化し、伸び（Ｅｂ）や引張強さ（Ｔｂ）などのゴム物性の低下が大きくなる。
【００２１】
そこで、本発明者らは、これらの問題に鑑み、更なる考察・検討を繰り返した結果、本発明のゴム引布製起伏堰本体を導出するに至った。
【００２２】
（４）本発明のゴム引布製起伏堰本体の構成
本発明のゴム引布製起伏堰本体は、幅方向における一端部の近傍から他端部にかけて上部と下部を隔離可能にした非接合帯域を有し、一端部に上部と下部とが接合する接合帯域を有する内側ゴム層帯状体と、内側ゴム層帯状体を取り囲むゴム引布積層帯状体と、ゴム引布積層帯状体を取り囲み、幅方向における一端部にデフレクターを有する外側ゴム層帯状体とが、加硫により一体接合されてなり、内側ゴム層帯状体とゴム引布積層帯状体と外側ゴム層帯状体の幅方向における他端部を固定した状態で、内側ゴム層帯状体の非接合帯域の上部と下部を隔離させて内側ゴム層帯状体の内部に空気等の流体を充填させる空間を形成するゴム引布製起伏堰本体であって、内側ゴム層帯状体が、非接合帯域を有する第１のゴム層帯状体と、第１のゴム層帯状体の幅方向における一端部側の所定範囲を取り囲むシリコンゴム層帯状体と、シリコンゴム層帯状体を取り囲み、第１のゴム層帯状体と相俟ってシリコンゴム層帯状体の全範囲を挟む第２のゴム層帯状体と、を有し、内側ゴム層帯状体の内部に空気等の流体を充填させる空間を形成したときに、内側ゴム層帯状体の幅方向における一端部側において、第１のゴム層帯状体と第２のゴム層帯状体とがシリコンゴム層帯状体から離間して、第１のゴム層帯状体と第２のゴム層帯状体との間にシリコンゴム層帯状体を挟んだ状態の第１の空隙部が形成されるように構成されている。
【００２３】
（５）本発明の特徴的な構成による効果
(5-1)ゴム引布製起伏堰本体に第１のゴム層帯状体と第２のゴム層帯状体とがシリコン層帯状体から離間して、第１のゴム層帯状体と第２のゴム層帯状体との間にシリコンゴム層帯状体を挟んだ状態の第１の空隙部と、空気等の流体を充填させる部位との二重気室構造を設けた構成の効果
本発明のゴム引布製起伏堰本体のように、内側ゴム層帯状体が、シリコンゴム層帯状体を、第１のゴム層帯状体と第２のゴム層帯状体とで挟む三層構造を有した構成にすれば、内側ゴム層帯状体の幅方向における一端部側において、第１のゴム層帯状体と第２のゴム層帯状体とがシリコンゴム層帯状体から離間して、第１のゴム層帯状体と第２のゴム層帯状体との間にシリコンゴム層帯状体を挟んだ状態の第１の空隙部が形成され、空気等の流体を充填させる空間となる部位とで、二重気室構造となる。
シリコンゴムは、ゴム引布製起伏堰において通常用いられている一般のゴムとの接着性が極めて弱いという特性を有している。
そして、シリコンゴムと一般のゴムとで層を形成した場合において、層を剥離する方向に力が働くと、シリコンゴムと一般のゴムとの間が剥離し易い。
ゴム引布製起伏堰において、ゴム層の構成材料としてシリコンを一般のゴムとともに用いると積層を阻害することになる。
このため、従来のゴム引布製起伏堰においては、上述した内側ゴム層帯状体１１’’のようなゴム層は、一般のゴムのみを用いて構成されており、ゴム層内において上述した切欠きＥのような空隙部を設ける場合には、ごく薄い剥離シートを一般のゴムの間に挟んでゴム層を成形し、成形後に剥離シートをゴム面から剥離する手法を用いるのが一般的であり、シリコンゴムと一般のゴムとで層を形成するような構成は着想されていなかった。
本発明者らは、このシリコンゴムの特性に着目し、従来のゴム引布製起伏堰におけるゴム層の構成材料として積層を阻害するシリコンゴムを、一般に用いられているゴムの間に挟ませた構成を部分的に設けることによって、第１のゴム層と第２のゴム層とがシリコンゴムから離間して、第１のゴム層と第２のゴム層との間にシリコンゴム層を挟んだ状態の空隙部を容易に形成することを着想するに至った。
本発明のゴム引布製起伏堰本体のように、内側ゴム層帯状体が、厚みのあるシリコンゴム層帯状体を、第１のゴム層帯状体と第２のゴム層帯状体とで挟む三層構造を有した構成にすれば、シリコンゴム層帯状体の外側の第２のゴム層帯状体における一端部近傍の面を外側に向かってより一層大きな丸みを帯びた形状にし易くなる。
その結果、内側ゴム層帯状体の非接合帯域の幅方向端部の近傍における応力集中や、内側ゴム層帯状体とゴム引布積層帯状体での応力集中は格段に緩和される。
【００２４】
(5-2)シリコンゴム層帯状体を第１のゴム層帯状体と第２のゴム層帯状体とで挟む三層構造とした効果
また、空気等の流体を充填させる空間となる部位と第１の空隙部との境界を形成する第１のゴム層が経年劣化により割れても、シリコンゴム層が第２のゴム層より内側に存在するため、ゴム引布層の露出を防止できる。
【００２５】
(5-3)ゴム引布層の側部に第２の空隙部を有する構成による効果
また、本発明のゴム引布製起伏堰本体においては、好ましくは、外側ゴム層帯状体は、外側ゴム層帯状体の幅方向における一端部側で、ゴム引布積層帯状体の近傍に第２の空隙部を有している。
このようにすれば、外側ゴム層帯状体におけるゴム引布製起伏堰本体における非接合帯域の一端部に位置するデフレクターを形成する部分とゴム引布積層帯状体が別離し、ゴム引布積層帯状体が大きな曲率半径を持った形状となることからゴム引布製起伏堰本体の周方向張力をより理想的に伝達でき、デフレクターを形成する部分をゴム引布積層帯状体から別離させようとする力が緩和され、ゴム層と帆布層の剥離を防止することができる。また、付け根に作用する曲げによる圧縮応力を切欠きにより生じた空隙部分が吸収し、塑性流動によるデフレクター部の根元の割れを緩和できる。
【００２６】
このため、本発明によれば、従来の技術に比べてデフレクター部近傍の膨れを防止する効果を高め、かつ、デフレクター部の根元の割れを防止可能なゴム引布製起伏堰本体が得られる。
【００２７】
（６）第１実施形態
図１は本発明の第１実施形態に係るゴム引布製起伏堰本体の要部の構成を示す説明図で、(a)はゴム引布製起伏堰本体が倒伏した状態での要部の幅方向断面図、(b)は(a)における内側ゴム堰層帯状体の部分拡大図である。図２は図１(a)の第１実施形態に係るゴム引布製起伏堰本体が起立した状態での要部の幅方向断面図、(b)は(a)における内側ゴム堰層帯状体の部分拡大図である。なお、図４に示したゴム引布製起伏堰本体と構成が同じ部分（ゴム引布積層帯状体１２、補強用のゴム引布層１４）は同じ符号を付し、説明は省略することとする。
【００２８】
(6-1)第１実施形態のゴム引布製起伏堰本体の特徴的な構成
本実施形態のゴム引布製起伏堰本体１は、図１(a)、図１(b)に示すように、内側ゴム層帯状体１１が、非接合帯域Ｃを有する第１のゴム層帯状体１１−１と、第１のゴム層帯状体１１−１の幅方向における一端部Ａ側の所定範囲を取り囲むシリコンゴム層帯状体１１−２と、シリコンゴム層帯状体１１−２を取り囲み、第１のゴム層帯状体１１−１と相俟ってシリコンゴム層帯状体１１−２の全範囲を挟む第２のゴム層帯状体１１−３と、を有している。
シリコンゴムは、ゴム引布製起伏堰において通常用いられている一般のゴムとの接着性が極めて弱いという特性を有している、
このため、シリコンゴムと一般のゴムとで層を形成した場合において、層を剥離する方向に力が働くと、シリコンゴムと一般のゴムとの間が剥離し易い。
このようなシリコンゴムの特性により、本実施形態のゴム引布製起伏堰本体１は、内側ゴム層帯状体１１の内部に空気等の流体を充填させる空間を形成したときに、図２(a)、図２(b)に示すように、内側ゴム層帯状体１１の幅方向における一端部Ａ側において、第１のゴム層帯状体１１−１と第２のゴム層帯状体１１−３とがシリコンゴム層帯状体１１−２から離間して、第１のゴム層帯状体１１−１と第２のゴム層帯状体１１−３との間にシリコンゴム層帯状体１１−２を挟んだ状態の第１の空隙部Ｇａ１が形成されるようになっている。
【００２９】
また、外側ゴム層帯状体１３は、外側ゴム層帯状体１３の幅方向における一端部Ａ側で、ゴム引布積層帯状体１２の近傍に第２の空隙部Ｇａ２を有している。
【００３０】
(6-2)第１実施形態のゴム引布製起伏堰本体の特徴的な構成による効果
本実施形態のゴム引布製起伏堰本体１によれば、内側ゴム層帯状体１１が、厚みのあるシリコンゴム層帯状体１１−２を、第１のゴム層帯状体１１−１と第２のゴム層帯状体１１−３とで挟む三層構造を有した構成としたので、内側ゴム層帯状体１１の幅方向における一端部Ａ側において、第１のゴム層帯状体１１−１と第２のゴム層帯状体１１−３とがシリコンゴム層帯状体１１−２から離間して、第１のゴム層帯状体１１−１と第２のゴム層帯状体１１−３との間にシリコンゴム層帯状体１１−２を挟んだ状態の第１の空隙部Ｇａ１が形成され、空気等の流体を充填させる空間となる部位とで、二重気室構造となる。
そして、本実施形態のゴム引布製起伏堰本体１が厚みのあるシリコンゴム層帯状体１１−２により剥離シートで生じるような皴が無く、安定的になめらかに形成された大きな丸みを帯びたゴム引布積層帯状体１２を有する二重気室構造を備えたことで、内側ゴム層帯状体１１の非接合帯域Ｃの幅方向端部の近傍における応力集中が格段に緩和される。
【００３１】
また、空気等の流体を充填させる空間となる部位と第１の空隙部Ｇａ１との境界を形成する第１のゴム層が経年劣化により割れても、シリコンゴム層が第２のゴム層より内側に存在するため、ゴム引布層の露出を防止できる。
【００３２】
また、本実施形態のゴム引布製起伏堰本体１によれば、外側ゴム層帯状体１３が、外側ゴム層帯状体１３の幅方向における一端部Ａ側で、ゴム引布積層帯状体１２の近傍に第２の空隙部Ｇａ２を有する構成としたので、ゴム引布積層帯状体１２がより大きな丸みを帯びた形状となることからゴム引布製起伏堰本体１の周方向張力をより理想的に伝達でき、かつ外側ゴム層帯状体１３における、ゴム引布製起伏堰本体１における非接合帯域Ｃの一端部Ａに位置するデフレクターｆを形成する部分への曲げによる圧縮力を緩和し、デフレクターｆを形成する部分での塑性流動による根元の割れを緩和できる。
【００３３】
このため、本実施形態によれば、従来の技術に比べてデフレクター部近傍の膨れを防止する効果を高め、かつ、デフレクター部の根元の割れを防止可能なゴム引布製起伏堰本体が得られる。
【００３４】
以上、本実施形態のゴム引布製起伏堰本体を図１〜図５を用いて説明したが、本発明のゴム引布製起伏堰本体は、これらの図に示す構成のものに限定されるものではない。例えば、外側ゴム層帯状体１３が、外側ゴム層帯状体１３の幅方向における一端部Ａ側で、ゴム引布積層帯状体１２の近傍に第２の空隙部Ｇａ２を設けない構成であってもよい。
【産業上の利用可能性】
【００３５】
本発明のゴム引布製起伏堰本体は、デフレクターを有するゴム引布製起伏堰を製造することが求められる分野に有用である。
【符号の説明】
【００３６】
１            ゴム引布製起伏堰本体
１１          内側ゴム層帯状体
１１ａ        上部のゴム層
１１ｂ        下部のゴム層
１１−１      第１のゴム層帯状体
１１−２      シリコンゴム層帯状体
１１−３      第２のゴム層帯状体
１２          ゴム引布積層帯状体
１３          外側ゴム層帯状体
１４          補強用のゴム引布層
ｆ            デフレクター
Ｃ            非接合帯域
Ｇａ１        第１の空隙部
Ｇａ２        第２の空隙部
１’、１’’              ゴム引布製起伏堰本体
１１’、１１’’          内側ゴム層帯状体
１１’ａ、１１’’ａ      上部のゴム層
１１’ｂ、１１’’ｂ      下部のゴム層
１３’        外側ゴム層帯状体
Ｅ            切欠き
５１、６１    帯状袋体
５２          帯状体（帯状ゴムシート）
５２ａ        上部シート部
５２ｂ        下部シート部
５３          非接合帯域
５３ａ        幅方向端部
５５          補強層（気室補強帆布）
５５ａ        平坦部
５５ｂ        湾曲部
５６          外被
５７          外被補強帆布
５８          流路
５９          切欠き
５９ａ        凸状の円弧部
【要約】
【課題】従来に比べてデフレクター部近傍の膨れ防止効果を高め、かつデフレクター部の根元の割れを防止可能なゴム引布製起伏堰本体の提供。
【解決手段】内側ゴム層帯状体１１の非接合帯域Ｃの上部と下部を隔離させて内部に空間を形成するゴム引布製起伏堰本体であり、内側ゴム層帯状体が、非接合帯域を有する第１のゴム層帯状体１１−１と、一端部側の所定範囲を取り囲むシリコンゴム層帯状体１１−２と、シリコンゴム層帯状体を取り囲み第１のゴム層帯状体とでシリコンゴム層帯状体の全範囲を挟む第２のゴム層帯状体１１−３とを有し、内部に空間を形成したときに、内側ゴム層帯状体の幅方向における一端部側に、第１のゴム層帯状体と第２のゴム層帯状体との間にシリコンゴム層帯状体を挟んだ状態の空隙部Ｇａ１が形成される。デフレクター部ｆにおいてゴム引布積層帯状体１２の近傍に第２の空隙部Ｇａ２を有している。
【選択図】図１【図１】
0006651179.tif 000002
【図２】
0006651179.tif 000003
【図３】
0006651179.tif 000004
【図４】
0006651179.tif 000005
【図５】
0006651179.tif 000006
【図６】
0006651179.tif 000007
【図７】
0006651179.tif 000008
【図８】
0006651179.tif 000009
【図９】
0006651179.tif 000010